(57)【特許請求の範囲】
【請求項１】
滑走ボードであって、
前記ボードの前端部の上向きのノーズと、
前記ボードの後端部のテールと、
前記ノーズおよびテールに連結され、かつ前記ノーズとテールの間に位置する接雪長部と、
前記接雪長部の上部上を前記ノーズから前記テールまで延在する前記ボードのトップ面と、
前記接雪長部の下部上を前記ノーズから前記テールまで延在する前記ボードのボトム面であって、少なくとも前記ボトム面の一部がライディング中に滑走面に接触するように構成されかつ配置される、ボトム面と、
前記接雪長部の両側の前記ノーズと前記テールの間に延在し、ライディング中に前記滑走面に係合するように配置される金属エッジを含み、サイドカットを有するサイドエッジと、
フットビンディングを前記ボードのトップ面に係合および固定するためにそれぞれ配置される前部および後部ビンディング取付け機能であって、前記前部および後部ビンディング取付け機能はそれぞれ前記接雪長部における各々の前部および後部ビンディング取付け領域を画定し、各々のフットビンディングは前記ボードに固定可能であり、前記前部ビンディング取付け機能は前記後部ビンディング取付け機能よりも前記ノーズのより近くに位置し、前記前部ビンディング取付け機能は前記ノーズに最も近い前端部を有し、前記後部ビンディング取付け機能は前記テールに最も近い後端部を有する、前部および後部ビンディング取付け機能と、を含み、
前記ボードは、最も近いビンディング取付け領域内の前記ボードの少なくとも１つの部分よりも、前記前部ビンディング取付け領域と前記ノーズの間の少なくとも１つの部分または前記後部ビンディング取付け領域と前記テールの間の少なくとも１つの部分において、前記ボードの長手方向の軸に直交する軸を中心とした前記ボードの曲げに対するより高い剛性を有し、
前記ボードは、両方の前記ビンディング取付け領域内の前記ボードの少なくとも１つの部分よりも、前記前部と後部ビンディング取付け領域の間の少なくとも１つの部分において、前記ボードの前記長手方向の軸に直交する前記軸を中心とした前記ボードの曲げに対するより高い剛性を有し、
各ビンディング取付け機能は、前記接雪長部に固定される複数のねじ状のインサートを含むか、または前記接雪長部に固定されるチャンネルを含む、
滑走ボード。
【請求項２】
前記ボードは、前記前部ビンディング取付け領域内の前記ボードの少なくとも１つの部分よりも、前記前部ビンディング取付け領域と前記ノーズの間の少なくとも１つの部分において、前記ボードの長手方向の軸に直交する軸を中心とした前記ボードの曲げに対するより高い剛性を有する、請求項１に記載のボード。
【請求項３】
前記ボードは、前記後部ビンディング取付け領域内の前記ボードの少なくとも１つの部分よりも、前記後部ビンディング取付け領域と前記テールの間の少なくとも１つの部分において、前記ボードの長手方向の軸に直交する軸を中心とした前記ボードの曲げに対するより高い剛性を有する、請求項１に記載のボード。
【請求項４】
前記ボードは、前記前部ビンディング取付け領域内の前記ボードの少なくとも１つの部分よりも、前記前部ビンディング取付け領域と前記ノーズの間の少なくとも１つの部分において、前記ボードの長手方向の軸に直交する軸を中心とした前記ボードの曲げに対するより高い剛性を有し、かつ、前記後部ビンディング取付け領域内の前記ボードの少なくとも１つの部分よりも、前記後部ビンディング取付け領域と前記テールの間の少なくとも１つの部分においてより高い剛性を有する、請求項１に記載のボード。
【請求項５】
前記前部および後部ビンディング取付け機能は互いに分離される、請求項１に記載のボード。
【請求項６】
前記ボードは、前記前部および／または後部取付け領域の中央近辺よりも、前記前部および／または後部取付け領域の両端近辺の部分により高い剛性を有する、請求項１に記載のボード。
【請求項７】
前記ボードは、前記前部および後部ビンディング取付け領域において、前記前部および後部ビンディング取付け領域に隣接する前記ボードの他の部分に対して、前記ボードの前記長手方向の軸に直交する軸を中心とするより小さな曲率半径で曲がるよう配置される、請求項１に記載のボード。
【請求項８】
前記ボードは、最も近いビンディング取付け領域内における前記ボードのいずれの部分よりも、前記前部ビンディング取付け領域と前記ノーズの間の少なくとも１つの部分においてより大きな厚さ、または前記後部ビンディング取付け領域と前記テールの間の少なくとも１つの部分においてより大きな厚さを有する、請求項１に記載のボード。
【請求項９】
前記ボードは、前記前部および／または後部取付け領域の中央近辺よりも、前記前部および／または後部取付け領域の両端近辺の部分により大きな厚さを有する、請求項１に記載のボード。
【請求項１０】
前記ボトム面は、各々のビンディング取付け領域の下に位置する２つの凹部を含む、請求項１に記載のボード。
【請求項１１】
前記トップ面は、各々のビンディング取付け領域に位置する２つの凹部を含む、請求項１に記載のボード。
【請求項１２】
前記ノーズと前記前部ビンディング取付け領域の前記前端部の間の前記ボトム面の前部は、前記前部ビンディング取付け領域近辺の前記ボトム面の部分に対して角度を有して配置される、請求項１に記載のボード。
【請求項１３】
前記テールと前記後部ビンディング取付け領域の前記後端部の間の前記ボトム面の後部は、前記後部ビンディング取付け領域近辺の前記ボトム面の一部に対して角度を有して配置される、請求項１２に記載のボード。
【請求項１４】
前記接雪長部の前記トップ面はほぼ平坦である、請求項１２に記載のボード。
【請求項１５】
前記トップ面は４つの凹部および３つの凸部を含む、請求項１に記載のボード。
【請求項１６】
前記凹部のうちの２つは各々のビンディング取付け領域に位置し、前記凹部のうちの１つは前記ノーズと前記前部ビンディング取付け機能の間に位置し、前記凹部のうちの１つは前記テールと前記後部ビンディング取付け機能の間に位置する、請求項１５に記載のボード。
【請求項１７】
前記凸部はそれぞれ隣接する凹部の間に位置する、請求項１６に記載のボード。
【請求項１８】
前記トップ面は５つの凹部および４つの凸部を含み、前記凹部のうちの２つは各々のビンディング取付け領域に位置する、請求項１に記載のボード。
【発明の詳細な説明】
【技術分野】
【０００１】
関連出願の相互参照
この出願は、２００９年９月２５日発行の米国仮特許出願第６１／２４６，０８１号の便益を主張するものであり、その全体が参照により本明細書に組み込まれる。
【０００２】
本発明は、スノーボード、ウェイクボードまたは他の類似デバイスなどの、面上を滑走するための滑走ボードに関する。
【背景技術】
【０００３】
ボードの長さに沿って異なる曲げ特性を備えた領域を有するスノーボードは、一般に、例えば、米国特許第６，４９９，７５８号、米国特許出願公開第２００４／００８４８７８号および米国特許出願公開第２００７／０１７０６９４号から公知である。これらのボード設計では、ボードが、ビンディング取付け領域の前後の隣接する領域と比べて乗り手の足の下の領域において硬くなる傾向がある。例えば、米国特許出願公開第２００４／００８４８７８号の図１および図４ならびに米国特許出願公開第２００７／０１７０６９４号の図１および図４に見られるように、ボードの厚さはビンディング取付け領域においてより大きい（米国特許出願公開第２００４／００８４８７８号の参照符号１０および１２ならびに米国特許出願公開第２００７／０１７０６９４号の参照符号１６および１８）。同様に、米国特許第６，４９９，７５８号では、ボードの構造的強度を乗り手の足の下の領域において増加させている。例えば、コラム５、１〜５７行目ならびに図１および図１６を参照のこと。
【発明の概要】
【課題を解決するための手段】
【０００４】
本発明の少なくともいくつかの実施形態によれば、ビンディング取付け領域の端部またはその近辺の部分と比べ、ビンディング取付け領域内の部分の１つまたは両方においてより容易に湾曲するようにボードを配置すると、ノーズプレス（nose presses）、オーリー（ollies）および類似の動作など特定のマニューバ（maneuvers）を行う際、ボードがエネルギを保存および解放する能力が向上することを発明者は予想外に発見した。一実施形態において、ボードは、少なくともボードのビンディング取付け領域とボードのノーズまたはテールとの間の部分および／またはビンディング取付け領域の間の部分と比べ、ビンディング取付け領域内においてより容易に曲がるよう配置されてもよい。例えば、ボードは、後部ビンディング取付け領域よりも前部ビンディング取付け領域がボードのノーズのより近くに位置する、前部および後部ビンディング取付け領域を含んでもよい。ボードの前部ビンディング取付け領域とノーズの間の部分は、ボードの前部ビンディング取付け領域内の部分に比べてより硬くなるように、したがって曲げることがより難しくなるように、ならびに前部ビンディング取付け領域と後部ビンディング取付け領域の間の部分に比べてより硬くなるように配置されてもよい。その結果、乗り手が（ボードがボードの長手方向の軸に直交する軸を中心に曲がるように）ボード上に曲げ力をかける傾向にあるノーズプレスまたは類似の動作を行う際、ボードは、ボードの前足とノーズの間の部分に比べ、乗り手の前足の下および／または前足とテールの間の部分においてより曲がる傾向がある（例えば、より長い弧に沿っておよび／またはより小さな曲率半径を有して）。ボードは、同様に、後部ビンディング取付け領域近辺において、例えば、後部ビンディング取付け領域内のボードの部分に比べ、ボードの後部ビンディング取付け領域とテールの間の部分がより硬くなるよう配置されてもよく、したがって曲げることがより難しくなるよう構成されてもよい。このタイプの配置は、より厚い、または別の方法で、乗り手の足の下の構造的強度を増加させたボードとは対照的である。乗り手の足の下の強度を増加すると、ボードのフレックスが高い領域が足から離れる傾向にあり、ノーズプレス、オーリーおよび類似の動作に有用なエネルギをボード内に保存する乗り手の能力が低下する。
【０００５】
一実施形態において、ボードは、ビンディング取付け区域内の部分に比べ、前部ビンディング取付け区域とノーズの間および／または後部ビンディング取付け区域とテールの間のボードの部分においてより大きな厚さを有するように作製されてもよい。これは、ビンディング取付け領域におけるボードの厚さが、各ビンディング取付け領域とノーズまたはテールそれぞれとの間のボードの厚さに等しいか、またはそれを超える典型的なボード配置とは対照的である。一実施形態において、厚さ変化は、ボードのコアの厚さを調節することにより達成されてもよい（例えば、木材、発泡樹脂製品またはその他で作製されてもよいコアの厚さは、ビンディング取付け領域に隣接する他の領域に比べ、ビンディング取付け領域においてより薄く作製されてもよい）。コア厚さのこの配置は、ボードのサイドエッジが上部補強層と底部補強層との間に配置され、かつボードのエッジに沿って少なくとも部分的にさらされるサイドウォール要素を含む、いわゆるサイドウォール構造で作製されるボードに有用であってもよい。別の実施形態では、ボードは、ノーズ、テールおよび接雪長部にキャップ構造を有してもよく、かつボードの厚さは、成形工程時にボードを形成するために使用される型要素間を少なくとも部分的に離間することにより画定されてもよい。
【０００６】
別の実施形態では、ボードは、ビンディング取付け領域とノーズまたはテールとの間の領域内などの特定の領域において、曲げに対するボードの抵抗を増すように配置されてもよい。例えば、ボードは、ボードを所望の領域において補強する傾向がある補強材要素などの内部部材を有してもよい。一実施形態において、ボードのコアは、ボードが接雪長部内の隣接する領域と比較するとビンディング取付け領域において所望の曲げ特性を有するように、特定の位置において増加したまたは低下した慣性モーメントを有してもよい。一実施形態において、それとは異なる方法でラミネートされた木材片で作製されるコアは、特定の領域内に金属または他の材料を含んでもよい。
【０００７】
本発明の別の態様では、ボードは、トップ面に、前部および後部ビンディング取付け領域の両方に位置する凹部を有してもよい。すなわち２つの離れた凹部が各々の前部および後部ビンディング取付け領域に位置してもよい。凸部は、ビンディング取付け領域の間ならびに前部取付け領域の前方および後部取付け領域の後方のトップ面に位置してもよい。別の実施形態では、凹部は、ボードに所望の曲げ特性を付与するように、ボードのビンディング取付け領域の下のボトム面に位置してもよい。以下に詳細に記載されるように、ボードに曲げ特性を付与するために本発明の態様による種々のオプションが利用可能である。
【０００８】
１つの例証的な実施形態では、滑走ボードは、ボードの前端部の上向きのノーズと、ボードの後方端部のテールと、ノーズおよびテールに連結されるならびにノーズとテールの間に位置する接雪長部と、接雪長部の上部上をノーズからテールまで延在するボードのトップ面と、接雪長部の下部上をノーズからテールまで延在するボードのボトム面と、ライディング中に滑走面に接触するように構成されかつ配置される少なくともボトム面の一部と、接雪長部の両側の、ノーズとテールの間に延在するサイドエッジと、それぞれフットビンディングをボードのトップ面に係合および固定するために配置される前部および後部ビンディング取付け機能と、を含む。前部および後部ビンディング取付け機能は、接雪長部において各々の前部および後部ビンディング取付け領域をそれぞれ画定してもよく、各々のフットビンディングは、後部ビンディング取付け機能よりもノーズの近くに位置する前部ビンディング取付け機能を備えるボードに固定可能である。ボードは、ボードの、最も近いビンディング取付け領域内の、少なくとも１つの部分よりも、前部ビンディング取付け領域とノーズの間の少なくとも１つの部分、または後部ビンディング取付け領域とテールの間の少なくとも１つの部分において、ボードの長手方向の軸に直交する軸を中心としたボードの曲げに対するより高い剛性を有してもよい。加えて、ボードは、ボードの、両方のビンディング取付け領域内の、少なくとも１つの部分よりも、前部ビンディング取付け領域と後部ビンディング取付け領域の間の少なくとも１つの部分において、ボードの長手方向の軸に直交する軸を中心としたボードの曲げに対するより高い剛性を有してもよい。
【０００９】
本発明による１つまたはそれ以上の特徴を組み込む例証的な実施形態が以下の図面を参照して記載される。
【図面の簡単な説明】
【００１０】
【図１】トップ面のビンディング取付け領域に位置する凹領域およびビンディング取付け領域間に凹部を有するボードの実施形態の側面図を示す。
【図２】ビンディング取付け機能オプションを備えた図１の実施形態の上面図を示す。
【図３】ビンディング取付け領域の凹領域が凹領域間にほぼ平らな部分を有する別の実施形態の側面図を示す。
【図４】ビンディング取付け領域の凹領域が凹領域間に凸部を有する別の実施形態の側面図を示す。
【図５】単一の凹領域が前部および後部ビンディング取付け領域全体に及ぶ別の実施形態の側面図を示す。
【図６】ボードの前部取付け領域とノーズの間の部分ならびに後部取付け領域とテールの間の部分が補強要素により硬くなるよう作製される別の実施形態を示す。
【図７】接雪長部の中央部分に対して角度を有して配置される接雪長部の前部および後方部分を有する図１のものと類似する実施形態を示す。
【図８】ボードのボトム面がビンディング取付け領域の下に凹部を含む実施形態を示す。
【図９】比較的高い剛性の領域がボードの長手方向の軸に直線的にかつ垂直に配置される実施形態の上面図を示す。
【図１０】比較的高い剛性の領域がボードの長手方向の軸に直交する角度で配置される別の実施形態の上面図を示す。
【発明を実施するための形態】
【００１１】
図１および図２は、本発明の１つまたはそれ以上の態様を組み込むボードの例証的な実施形態を示す。この実施形態では、ボード１はスノーボードであるが、本発明の１つまたはそれ以上の態様はスケートボード、ウェイクボード等など他のタイプのボードに用いられうる。ボード１は、ボードの前端部に上向きのノーズ２およびボードの後方端部にテール３を含む。この実施形態のテール３はノーズ２と同様に上向きであるが、テール３は必ずしもノーズ２と同程度上を向く必要はなく、ほぼ真直でもよいことが理解されるべきである。ノーズ２およびテール３は、当該技術分野において理解されるように一般にノーズ２からテール３の移行部の間に位置する、ボードの接雪長部４の両端に位置する。ボード１は、接雪長部４の上部上をノーズ２からテール３まで延在するトップ面５および接雪長部４の下部上をノーズ２からテール３まで延在するボトム面６を有する。トップ面５は、任意の適切な方法で、例えば、適切なグラフィクス等を備えた高分子フィルムを含むシートのトップシートまたはラミネートとして配置されてもよい。ボトム面６は、ライディング中に滑走面に接触するよう構成されかつ配置されてもよく、例えば、雪、氷または他の類似の表面上を滑走するのに適した高密度ポリエチレンまたは他の材料などの高分子材料のシートを含んでもよい。
【００１２】
接雪長部４の両側のサイドエッジ７はノーズ２からテール３の間に延在し、適切であればいかなるサイドカットを有してもよい。例えば、サイドカットは、単一の、比較的大きな曲率半径を有するよう配置されてもよいか、または異なる曲率半径を有するおよび／または真直である２つ以上の部分を含んでもよい。真直な部分がサイドカット内に含まれる場合、真直な部分は長手方向の軸に平行するおよび／または長手方向の軸に対して正面角で配置されてもよい。この例では、サイドカットは、ノーズ２およびテール３の移行部よりも接雪長部４（またはウエスト）の中央近辺においてボードが全体的により狭くなるよう示されるが、ノーズまたはテールへの１つまたはそれ以上の移行部の幅よりも大きいボードのウエスト幅を有する等の他の配置が可能である。代替的に、サイドカットは概して図１に示されるように配置されてもよいが、ボード幅が、ウエストにおいて増加しても（および膨らみにおけるサイドカットは凹状ではなく凸状である）、移行部の幅よりは小さいままであるようにウエスト近辺に膨らみを有する。サイドエッジ７は、例えば、ボトム面６近辺のエッジの下部に、雪または氷と係合し、そのような表面上においてターンする際にボードの位置を維持しやすくするように配置される金属エッジを含んでもよい。
【００１３】
スノーボード技術において公知であるように、ボード１は、また、フットビンディング（図示せず）と係合し、それをボードのトップ面５に固定するようにそれぞれ配置される前部および後部ビンディング取付け機能８を含んでもよい。ビンディング取付け機能８は、図２の前部ビンディング取付け領域９に示されるチャンネルの形態または図２の後部ビンディング取付け領域１０に示されるねじ状のインサートのパターンなど適切であればいかなるように配置されてもよい。ねじ状のインサートのパターンとして配置される場合、バートン 3Dパターン、４Ｘ４パターンまたはその他等の適切であればいかなるパターンが使用されてもよい。チャンネルタイプのビンディング取付け配置およびねじ状のインサートパターンは、例えば、現在ザ  バートン  コーポレーションにより販売されているスノーボードで公知であるため、本明細書中でさらなる説明は行わない。しかしながら、当該技術分野では他のビンディング取付け機能が公知であるため、ビンディング取付け機能８は、チャンネルまたはインサート配置に限らない。要するに、（トレイタイプ、ステップインまたはその他であろうとなかろうと）スノーボードのフットビンディングを取付けるために適切であればいかなる配置が使用されてもよい。
【００１４】
前部および後部ビンディング取付け機能８は、接雪長部４内に、各フットビンディングがボードに固定可能な各々の前部および後部ビンディング取付け領域９，１０をそれぞれ画定する。この実施形態では、ビンディング取付け機能８のそれぞれは、例えば、ボードの長手方向の軸に沿って約２５０〜３００ミリメートルに及ぶ、ビンディングが取付け可能な様々な位置を提供する。つまり、ビンディング取付け機能８を使用することにより、ビンディングはボード上の複数の異なる長手方向の位置のうちの１つに取付けられてもよい。（ボードの長手方向の軸は図２の上部から見て全般的にボード１のほぼ中央近辺をノーズ２からテール３まで延在する）。しかしながら、ビンディング取付け機能８は、領域９，１０内にビンディングのための単一の取付け位置または（いくつかのチャンネルタイプの取付け配置の場合のように）無数の取付け位置に提供してもよい。また、ビンディング取付け機能８は比較的大きな距離により物理的に分離されるものとして図２に示されるが、取付け機能８は、取付け領域９，１０の内側端部近辺に互いに近接して位置してもよく、またいくつかの実施形態では、取付け領域９，１０が互いに直に隣接するように本質的に互いに融合してもよい。
【００１５】
この例証的な実施形態では、ボード１は、ボードの最も近いビンディング取付け領域内の少なくとも１つの部分よりも、前部ビンディング取付け領域９とノーズ２の間の少なくとも１つの部分、または後部ビンディング取付け領域１０とテール３の間の少なくとも１つの部分において、（ボードの長手方向の軸に直交する軸を中心としたボードの曲げに対して）より高い剛性を有する。例えば、この実施形態では、ボード１は、ビンディング取付け領域９内の接雪長部の少なくとも１つの部分よりも、ビンディング取付け領域９の前端部に隣接する接雪長部の部分内により大きな厚さを有する。その結果、ボード１は、この実施形態では、ビンディング取付け領域９内の領域よりも、前部ビンディング取付け領域９の前方の領域により高い剛性および曲げに対するより大きな抵抗を有する。また、ボード１は、前部ビンディング取付け領域９のすぐ後方の領域内により高い剛性を有する。この配置により、オーリーまたはノーズプレスの場合のように、乗り手がボードの前端部に荷重をかける場合、ボードは、ビンディング取付け領域９の前方および後方端部に隣接する領域よりも、乗り手の前足の下の領域において曲がりやすい（またはより曲がるおよび／または小さな曲率半径で）。発明者が予想外に発見し、ボードで種々のトリックおよびマニューバを行う際に顕著な利点を提供するのが、この特徴である。
【００１６】
必須ではないが、図１および図２の実施形態はまた、後部ビンディング取付け領域１０内のボードの少なくとも１つの部分に比べ、後部ビンディング取付け領域１０とテール３の間により大きな厚さ（およびこの場合はより高い剛性）の部分を含む。対応するビンディング取付け領域の外側の領域内のボードの剛性および／または厚さに関する本発明の態様は、所望であれば、ボードの前端部のみに、またはボードの後端部のみに使用されてもよいことが理解されるべきである。
【００１７】
図１および図２の例証的な実施形態に示される本発明の別の態様は、ボードが、前部および／または後部取付け領域の中央近辺よりも、ボードの前部および後部取付け領域の両端に隣接する部分においてより大きな剛性および／または厚さを有することである。この実施形態では、ボードは、取付け領域９内の少なくとも一部よりも、前部ビンディング取付け領域９の前方および後方の両方においてより大きな厚さを有する。この実施形態では後部ビンディング取付け領域１０において同様のことが言える。この配置は、乗り手の前または後足の下の領域にエネルギを集中しやすくし、ボードをビンディング取付け領域においてより大きくおよび／またはより急激に曲げてもよい。
【００１８】
図１に示される本発明の別の態様は、トップ面５が、それぞれビンディング取付け領域に位置する一対の凹部を含んでもよいことである。例えば、図１は、前部ビンディング取付け領域９が、ビンディングが取付けられる凹部を含み、かつ後部ビンディング取付け領域１０が、同様に配置される凹部を含むことを示す。そのような配置は、例えば、ビンディングの横および中間側の領域に比べ、各フットビンディングの下の領域においてボードをより薄くすることにより、上に記載されたものなどの所望の曲げ特性をボードにもたせやすくし得る。
【００１９】
図１に示される本発明の別の態様は、ボードが、前部と後部ビンディング取付け領域の間に、凹部、またはさもなければ、薄い部分を含むことである。必須ではないが、この部分が、乗り手の足の間のボードの可撓性を向上させ、ボードの硬さが低下し、乗り手の足によるねじりおよび他の曲げのインプットに対する反応がよくなったように感じさせやすくしてもよい。
【００２０】
本発明の別の態様では、ボードのトップ面は４つの凹部を含んでもよい。つまり、凹部のうちの２つは各々のビンディング取付け領域９，１０に位置してもよく、凹部の１つがノーズ２と前部ビンディング取付け領域９の間に位置してもよく、凹部の１つがテール３と後部ビンディング取付け領域１０の間に位置してもよい。別の実施形態では、図１に示されるように、別の凹部がビンディング取付け領域９と１０の間に位置してもよい。トップ面５は、また、隣接する凹部の間にそれぞれ位置する３つまたは４つの凸部を含んでもよい。本発明のこの態様は、上述されたものなどの所望の曲げ特性をボード１に付与しやすくし得る。
【００２１】
上の実施形態では、ボード１の厚さおよび剛性の変化は、この場合、サイドウォール構造で作製されるボード１のコアの厚さを変化させることによりおもに達成される。一実施形態において、各ビンディング取付け領域９，１０の最も薄い領域におけるボードのコアの厚さは約６０ｍｍである一方、ビンディング取付け領域９，１０のいずれかの端部近辺の最も厚い領域におけるボードのコアの厚さは約８０ｍｍである。ビンディング取付け領域９，１０の間の薄い領域におけるコアの厚さは約６１ｍｍである。コアは、例えば、アルダー、バルサおよび／またはその他等のラミネートされた木材片を使用して、一般的な様式で作製される。このコアは、次いで、上部および底部補強層、上部および底部シート、高分子サイドウォール要素、金属エッジおよび一般にスノーボードの製作に使用される他の構成要素でラミネートされる。使用されるビンディング取付け機能のタイプについては、（約６０ｍｍのコア厚さを必要としうる）ねじ状のインサートの使用において可能とされうるものに比べ、チャンネルタイプのビンディング取付台は、例えば、約５０ｍｍまでの、より薄いコアの使用を可能にすることが判明している。
【００２２】
図１および図２のボード配置は１つの可能な実施形態にすぎず、同じまたは類似のボード特性を達成するために他のものが使用されてもよい。例えば、図３は、本発明の１つまたはそれ以上の態様を組み込む実施形態を示す。この実施形態では、ボードがビンディング取付け領域９，１０の内側端部の間においてほぼ一定の厚さを有するように、ボード１の前部と後部ビンディング取付け領域９，１０の間の部分が略平面である以外は、ボードは図１および図２のものと同様に配置される。したがって、前部および後部ビンディング取付け領域９，１０はそれぞれ凹部分を有してもよく、かつ略平面または一定の厚さ部分が前部と後部ビンディング取付け領域９，１０の間に延在してもよい。
【００２３】
図４は、図１および図３のものに類似するが、前部と後部ビンディング取付け領域９，１０の間に単一の凸領域を有する、ボード１の別の例証的な実施形態を示す。図１および図３の実施形態とは対照的に、図４のボード１は、前部と後部ビンディング取付け領域９，１０の間の領域とは対照的に、前部および／または後部ビンディング取付け領域９，１０内の領域に曲げを集中しやすくし得る。
【００２４】
図５は、本発明の態様を組み込むボード１の別の実施形態を示す。この例証的な実施形態では、ボードは、前部と後部ビンディング取付け領域９，１０の前端部と後端部の間に単一の凹領域を含む。したがって、ボード１は、図１〜４の実施形態の場合のように、ビンディング取付け領域９，１０の前方および後方の両方により硬い部分を有し、前部と後部ビンディング取付け領域９，１０の間の領域においてより大きなまたはより急な半径曲げを可能としてもよい。
【００２５】
上の実施形態では、ボードの剛性変化は、コア厚さを変化させる、または別の方法で、ボード１の厚さを変化させることにより達成されるが、ボードの剛性機能は他の技法を使用して提供されてもよい。例えば、図６に示されるように、ボード１は、一般にスノーボードに見られる厚さ分布を有する（例えば、ボードのビンディング取付け領域９，１０の下の厚さは、ボードの取付け領域９，１０の前方および後方の領域よりも大きい）が、取付け領域９，１０の前方および後方に配置される補強要素１１を含む。補強要素１１は図１〜５の実施形態の厚さ変化とほぼ同じように機能してもよく、かつ任意の適切な方法で設けられてもよい。例えば、補強要素１１は、これら領域においてボード１を全般的に補強するためにボード１のトップ面５に取付けられる、ロッド、ビーム、バー、プレートまたは他の要素であってもよい。代替的に、補強要素１１は、例えば、ボード１のコアおよび／または１つまたはそれ以上の補強層内に植設されることによりボード１内に組み込まれてもよい。例えば、コアが、別の方法で、ラミネートされたバルサ木材片で作製される場合、１つまたはそれ以上のバルサ片を、ボードを補強する傾向にある、例えば、より硬い木材、金属、ファイバーグラス要素等の材料と交換してもよい。別の実施形態では、補強要素１１は、ボード１内に成形されるか、または別の方法で、ボード１に設けられる物理的特徴の形態をとってもよい。１つの例では、補強要素１１は、所望の部分におけるボードの慣性モーメントを増加するために、トップ面５に成形されるか、または別の方法で、形成される波形構造または他の特徴を含んでもよい。当業者には、単数または複数の補強層内に異なる材料（例えば、補強されることになる部分には炭素繊維材料、一方で他の部分にはより低い引張強度の材料が使用される）、異なる樹脂材料、異なる母材等を使用する等の他の配置が実施される。
【００２６】
上の実施形態は、ボトム面６にキャンバーがないか、フラットキャンバーを有するボード１を示すが、他のキャンバー配置が使用されてもよい。例えば、ボード１は、ボードに重量がかかっていない状態において、ボード１のノーズおよびテールへの移行部の近辺の部分のみが下にある表面に接触している状態で、ボトム面６の中央部分が、下にある平面から持ち上がるような、スタンダードキャンバーを有してもよい。別の実施形態では、ボード１は、ボード１のボトム面６が接雪長部４に沿って全般的に下方に湾曲するか、または凸状であるような、リバースキャンバー、またはロッカーの配置を有してもよい。別の実施形態では、ボードは、例えば、全般的に前部および後部ビンディング取付け領域９，１０の領域が個々のキャンバーの部分を有してもよいような、デュアルキャンバー配置を有してもよい。他のキャンバー配置は可能である。
【００２７】
例えば、図７は、本発明の１つまたはそれ以上の態様を組み込むボードの別のキャンバー配置を示す。この実施形態では、ノーズ２と前部ビンディング取付け領域９の間のボトム面６の前部６１は、前部ビンディング取付け領域９近辺のボトム面６の部分に対して角度を有して配置される。同様に、テール３と後部ビンディング取付け領域１０の間のボトム面６の後部６１は、後部ビンディング取付け領域１０近辺のボトム面６の部分に対して角度を有して配置される。この実施形態のボトム面６の中央部分６２は、キャンバーがないか、またはフラットキャンバーを有するが、中央部分６２が下方に湾曲するような、リバースキャンバー（またはロッカー）形状を有してもよいか、またはスタンダードキャンバー配置を有してもよいか、またはデュアルキャンバー配置を有してもよい。
【００２８】
上記の実施形態のいくつかではボードの上面の形状を変化させることによりボードの厚さを変化させるが、トップ面に加えてまたは代わりに、ボードの底部の形状を変化させる等の他の技法が可能である。図８は、本発明の１つまたはそれ以上の態様を組み込む別の例証的な実施形態を示し、所望のボード曲げ特性を提供するための成形されたボトム面を有する。この実施形態では、図４のものと類似するボードの長さに沿って剛性および／または厚さ変化が付与されるが、この場合、ボトム面６が前部および後部ビンディング取付け領域９および１０の下に位置する凹部を有する一方で、ボード１のトップ面５は略平面である。したがって、ボード１は、ビンディング取付け領域９内の接雪長部の少なくとも１つの部分よりも前部ビンディング取付け領域９の前方部分においてより大きな厚さ、およびこの例ではより高い剛性を有する。同様に、ボード１は、ビンディング取付け領域１０内の接雪長部の少なくとも１つの部分よりも後部ビンディング取付け領域１０の後方部分においてより大きな厚さおよびより高い剛性を有する。したがって、この実施形態のボード１は、図１〜７の実施形態のものと同じまたは類似の曲げ特性を共有してもよい。図８の実施形態のボード１では、また、ボードが、前部および／または後部取付け領域の中央近辺よりも、前部および／または後部取付け領域の両端に隣接するボードの部分において、より大きな剛性および／または厚さを有する本発明の態様、ならびにボードのトップ面５が略平面または下にあるボトム面６とは異なる形状を有する一方で、ボトム面６の凹部が各々のビンディング取付け領域９および１０の下に位置する態様を用いる。
【００２９】
図８の実施形態は上に言及されたものに類似する種々の手法で変更されてもよい。例えば、ボトム面６（またはトップ面５）はビンディング取付け領域９と１０の間に図１のトップ面５と類似する凹部を有してもよい。この配置は、例えば、ボードにより可撓性を持たせ、乗り手のインプットに対する反応をよくし、乗り手の足の間のボードの「フィール」を向上しやすくし得る。代替的に、または加えて、ボード１は、スタンダードキャンバーなどの種々のキャンバー配置、または上に図７と関連して記載されたもののような配置を組み込んでもよい。例えば、図８のボードは、ビンディング取付け領域９，１０の下のボトム面６の中央部分６２の近似または平均面に対し、角度を有して配置されるボトム面６の前方および／または後方部分６１を有してもよい。ボード１は、また、ボトム面６内に凹部分を維持する一方で全体的にロッカー形状を有してもよい。そのような配置はロッカー成分を有するデュアルキャンバー配置をボードに付与してもよい。
【００３０】
本発明の別の態様では、ボードのビンディング取付け領域に取付けられる１つまたはそれ以上のビンディングとボードの相互作用によって、上記されたものなどの種々の曲げ特性をボードに付与してもよい。例えば、ビンディングは、ビンディングの側面上に、各々のビンディング取付け領域の前方または後方の領域においてボードの強化および補強を補助しうる、ウイング、ロッドまたは他の構成要素を含んでもよい。別の実施形態では、補強要素１１がビンディングとともに、またはビンディングから独立してボードに取付けられてもよい。補強要素１１は、ねじ、接着剤またはその他等の取付け機能８または他の取付け配置を使用してボード１に固定されてもよい。
【００３１】
上の実施形態では、ボード部分の剛性および／または厚さは、例えばボードの長手方向の軸２０に関してほぼ対称のような、適切であればいかなるようにボード１の幅全体に横方向に延在してもよい。例えば、図９は、この図が前部および後部ビンディング取付け領域９および１０の両端のボードの最も厚い部分の位置の破線１２を示すこと以外は、（図２のものに類似する）図１および図２の実施形態の上面図を示す。この実施形態では、前部ビンディング取付け領域９の破線１２（最大厚さおよび／または剛性を有する部分）は長手方向の軸２０に略垂直であり、後部ビンディング取付け領域１０の破線１２は、湾曲した線１２の凹側が後部ビンディング取付け領域１０に面するように湾曲する。しかしながら、厚さおよび／または剛性分布は別の手法で配置されてもよい。例えば、最大厚さおよび／または剛性を有する部分は、ビンディング取付け領域の前後のすべての位置において長手方向の軸２０に略垂直になるように配置されてもよく、最大厚さおよび／または剛性を有する部分はすべて図９の後部ビンディング取付け領域１０等に関して示されるものと同様の手法で湾曲されてもよい。別の例証的な実施形態では、図１０は、破線１２（最大厚さおよび／または剛性を有する部分）が長手方向の軸２０に対して非垂直な角度で配置される非対称な配置を示す。例えば、図１０の配置は、ボード１が「ディレクショナル」（すなわちアルパインタイプのスノーボード、いくつかのパウダータイプのボード、テールに比べてより広いノーズを有するボードおよびその他の場合のように、ボードがノーズ２を先頭にして乗ることを意図されているような形状を有する）である場合、「グーフィー」スタイルの乗り手（すなわち典型的に左足を後ろに向けて乗る乗り手）にとって便利であってもよい。しかしながら、図１０のボード１が「ディレクショナル」でないか、またはノーズまたはテールのいずれかを前にして乗ることを意図している場合は、ボード１はレギュラーまたはグーフィータイプの乗り手に適していてもよい。そのような場合では、図１０に示すように、乗り手はかかとが上部エッジ７に最も近い状態でビンディングをボード上に取付けてもよい。
【００３２】
当然、図９および図１０のもの以外の厚さおよび／または剛性の他の配置が可能である。例えば、線１２は真直である必要はなく、複数の直線部分または他の配置を有し、任意の適切な方法で湾曲されてもよい。一実施形態において、前部および後部ビンディング取付け領域９，１０の前および後端部の線１２は、長手方向の軸における線の中央部分がサイドエッジ７近辺の線１２の端部よりも、ノーズ２またはテール３により近いように湾曲されてもよい。また、上の実施形態は、ビンディング取付け領域９，１０の前方および／または後方に単一の最も厚いおよび／または最も硬い部分を有するが、所望であれば、ビンディング取付け領域９，１０の前方および／または後方に、均等な厚さおよび／または剛性の２つ以上の部分が位置してもよい。そのような複数の部分の線１２は、ボードの幅にわたるそれら長さに沿って平行または等距離となるよう配置されてもよいか、または互いに対して他の配置を有してもよい。さらに、比較的より大きな厚さおよび／または剛性の領域を示すために線１２が示されるが、そのような領域は、例えば、１ｃｍ、３ｃｍ、５ｃｍまたはそれを超える、示されるものよりもより広い領域上に及んでもよい。
【００３３】
ボードの部分の剛比は異なる手法で画定されてもよい。例えば、ボードの一部は、ボードのその部分が他のボード部分に比べてより高い慣性モーメントを有する場合、別の部分に比べてより硬いとされてもよい。代替的に、ボードの一部は、実際の試験条件下においてその部分が別の部分よりも曲げに対するより高い抵抗を示す場合、別の部分に比べてより硬いとされてもよい。別の実施形態では、ボードは、その長さおよびより大きな曲率半径を有する曲線で湾曲する傾向があるボードの第１の部分に沿って、または第２の部分に比べてより硬いとされてもよい別の第２の部分よりも長い弧長に沿って均等に負荷がかけられてもよい。別の試験環境では、ボードの異なる部分が個別に試験され、曲げ力に対する抵抗が測定されてもよい。例えば、特定の荷重または荷重配置に応じたボードの１つの部分のたわみの量は、同じ荷重または荷重配置に応じたボードの別の部分のたわみに匹敵してもよい。より小さなたわみを有する部分が他の部分に比べてより硬いとされてもよい。
【００３４】
これらの分析のいずれか１つを使用して、ボードの２つの部分の間の剛性のパーセント差を画定してもよい。例えば、上述のようにたわみ分析が使用される場合、たわみ量の差をより硬くない部分のたわみ量で除して剛性のパーセント差を求めてもよい。２つのボード部分の間の剛性のパーセント差を画定するために、慣性モーメント、曲率半径または他の数値の差を使用して同様の計算が行われてもよい。
【００３５】
本発明の一態様では、前部ビンディング取付け領域とノーズの間のボードの少なくとも１つの部分、または後部ビンディング取付け領域とテールの間の少なくとも１つの部分と、最も近いビンディング取付け領域内におけるボードの少なくとも１つの部分との間の剛性のパーセント差は１０％、２０％、３０％またはそれを超えてもよい。
【００３６】
本発明のいくつかの態様がしたがって記載されたが、当業者には、種々の変更、変形および改良が容易に行われることが認識される。そのような変更、変形および改良は、この開示の一部であり、本発明の範囲および精神内であるとされる。したがって、前述の記載および図面は単なる例である。
【図１】
0005442870.tif 000002
【図２】
0005442870.tif 000003
【図３】
0005442870.tif 000004
【図４】
0005442870.tif 000005
【図５】
0005442870.tif 000006
【図６】
0005442870.tif 000007
【図７】
0005442870.tif 000008
【図８】
0005442870.tif 000009
【図９】
0005442870.tif 000010
【図１０】
0005442870.tif 000011